(57)【要約】【課題】  歯ブラシ，髭剃り等の小物をすっきりと安定した状態で掛止させて収納できる棚板を提供する。【解決手段】  髭剃りや歯ブラシ等の小物を引掛けることのできる複数の切欠き部１４，１５，１６，１７を備えて、壁面に取り付けられる棚板７であって、この棚板７上に落ちた水が壁当接面片１１側へ流れるように、棚板７の本体部１０には、壁当接面片１１側に向かって水勾配が形成され、壁当接面片１１の略中央部には、壁面と接しない水落とし用の隙間部１１ａが形成されており、各切欠き部１４，１５，１６，１７は、それぞれ円弧状端面１０ａ側が広く開放され、隙間部１１ａに向かって略Ｖ字状に切欠き形成されている。【選択図】  図２
2006187542.tif 000002
【特許請求の範囲】
【請求項１】
小物を引掛けることのできる複数の切欠き部を備えて、壁面に取り付けられる棚板であって、棚板上に落ちた水が前記壁面側へ流れるように、該棚板には前記壁面に向かって水勾配が形成されているとともに、壁面に接する面の一部には、該壁面と接しない水落とし用の隙間部が形成されていることを特徴とする棚板。
【請求項２】
前記棚板の前記壁面と反対側は円弧状端面に形成されているとともに、前記各切欠き部は、前記円弧状端面側が広く開口され壁面側中央に向かって狭まった略Ｖ字状に切欠き形成されて、隣り合う切欠き部の切欠き線が略平行をなすことを特徴とする請求項１に記載の棚板。
【発明の詳細な説明】
【技術分野】
【０００１】
本発明は、小物をすっきりと納めることのできる棚板に関するものである。
【背景技術】
【０００２】
従来、浴室や洗面台では、歯ブラシ，髭剃り等の小物は棚上に置く等して収納しており、また、特許文献１に開示されているようなボトルハンガーに、プラスチック容器を掛止させて収納している。
【特許文献１】実開平５−５１１８９号公報
【発明の開示】
【発明が解決しようとする課題】
【０００３】
従来の棚では、その上面に小物を置くだけであり、安定した状態ですっきりと小物を納めることができないという問題点があり、また、特許文献１に開示されているボトルハンガーは、プラスチック容器のみを掛止できるものであり、いろいろな小物を安定して掛止することはできないという問題点があった。
【課題を解決するための手段】
【０００４】
本発明は上記従来の問題点に鑑み案出したものであって、小物を安定した状態で掛止させて、すっきりと収納できる棚板を提供するものであり、その請求項１は、小物を引掛けることのできる複数の切欠き部を備えて、壁面に取り付けられる棚板であって、棚板上に落ちた水が前記壁面側へ流れるように、該棚板には前記壁面に向かって水勾配が形成されているとともに、壁面に接する面の一部には、該壁面と接しない水落とし用の隙間部が形成されていることである。
【０００５】
また請求項２は、前記棚板の前記壁面と反対側は円弧状端面に形成されているとともに、前記各切欠き部は、前記円弧状端面側が広く開口され壁面側中央に向かって狭まった略Ｖ字状に切欠き形成されて、隣り合う切欠き部の切欠き線が略平行をなすことである。
【発明の効果】
【０００６】
本発明の、複数の切欠き部を備えた棚板には、壁面に向かって水勾配が形成されているとともに、壁面に接する面の一部には、壁面と接しない水落とし用の隙間部が形成されていることにより、複数の切欠き部に歯ブラシや髭剃り等の小物を安定した状態で引掛けて収納することができ、歯ブラシ等から落ちる水滴を良好に壁面側へ流して、壁面側の隙間部を通して壁面伝いに良好に水切りすることができて、清潔に維持することができ、また掃除がし易いものとなる。
【０００７】
また、棚板の壁面と反対側は円弧状端面に形成されているとともに、各切欠き部は、円弧状端面側が広く開口され壁面側中央に向かって狭まった略Ｖ字状に切欠き形成されて、隣り合う切欠き部の切欠き線が略平行をなすことにより、意匠性に優れ、隣の切欠き部との間隔を広くすることができて、切欠き部を多く形成させることができ、複数の小物を良好に掛止させて収納できるものとなる。
【実施例】
【０００８】
以下、本発明の実施例を図面に基づいて説明する。
図１は、浴室の内部構成斜視図であり、浴室１には浴槽２が設けられ、洗い場３側の壁面４には鏡５が設けられ、この鏡５の側面に開閉可能に扉６が設けられて、この扉６の内側の壁面４に棚板７が取り付けられている。また、鏡５の下方には水栓８を設けたカウンターが設けられており、その下方側には洗面器台９が設けられている。
【０００９】
扉６の内側の壁面４に設けられている棚板７は、図２において斜視図で、図３において平面図で、図４において正面図で、図５において側面図で、図６において底面図で示すような形状に形成されている。
棚板７は、本体部１０の壁面４側に垂下状に一体化されて壁当接面片１１が形成されており、この壁当接面片１１の中央部には、前方側へ湾曲して隙間部１１ａが形成されている。また、壁当接面片１１の左右両端側には、前方側へ突出して筒状片１２，１２が一体形成されて、この筒状片１２と壁当接面片１１間で、下端が開放されて上方へ立ち上がる縦孔部１２ａが形成されており、この縦孔部１２ａの壁当接面片１１側には、下端が広く開放されて上方に延びる掛止縦孔１３が形成されている。
【００１０】
また、本体部１０は、平面視略半円形状に形成されており、前端側は円弧状に形成された円弧状端面１０ａとなっており、この円弧状端面１０ａ側が上方へ向けて湾曲され、円弧状端面１０ａから壁当接面片１１の中央の隙間部１１ａへ向かって緩やかに下傾した水勾配が形成されて、本体部１０上に落ちた水が良好に隙間部１１ａへ流れ込むように設定されている。
この本体部１０には、本例では４個の切欠き部１４，１５，１６，１７が切欠き形成されており、各切欠き部１４，１５，１６，１７は、円弧状端面１０ａ側が広い幅寸法で開放されて、この開放された円弧状端面１０ａ側から壁当接面片１１の隙間部１１ａに向かって略Ｖ字状に幅寸法が狭まった形状に形成されている。
【００１１】
切欠き部１４は、Ｖ字状の切欠き線１４ａ，１４ｂで形成されており、また切欠き部１５，１６，１７においても同様に、Ｖ字状をなす左右の切欠き線１５ａ，１５ｂ，１６ａ，１６ｂ，１７ａ，１７ｂで切欠き形成されている。
本例では、切欠き部１４の切欠き線１４ｂと、切欠き部１５の切欠き線１５ａが、略平行状をなすように設定されており、同様に、切欠き部１５の切欠き線１５ｂと切欠き部１６の切欠き線１６ａが略平行状をなすように設定され、また切欠き部１６の切欠き線１６ｂと切欠き部１７の切欠き線１７ａが略平行状をなすように設定されている。
【００１２】
このように、各切欠き部１４，１５，１６，１７の切欠き線が略平行をなすため、隣の切欠き部との間隔を広く確保できて、切欠き部１４，１５，１６，１７を円弧状端面１０ａに沿って多数形成させることができるものとなり、４個の切欠き部１４，１５，１６，１７に限らず、更に切欠き部の数を増やした棚板７を形成させることもできる。
【００１３】
なお、各切欠き部１４，１５，１６，１７は、略Ｖ字状に形成されているため、髭剃り２１や歯ブラシ２３等の棒状の太さの異なる様々な小物を良好に掛止できるものとなり、図７に示すように、安定した状態で髭剃り２１や歯ブラシ２３や洗顔用スポンジ２２の紐２２ａ等を掛止することができる。
また、各切欠き部１４，１５，１６，１７は、円弧状端面１０ａ側の高さが高く、壁当接面片１１側に向かって下向きに傾いているため、それぞれの切欠き部１４，１５，１６，１７への掛止状態では、図８に側面図で示すように、歯ブラシ２３等は、壁面４側へ傾いた状態で安定して掛止することができるものとなる。
【００１４】
このように、本例の棚板７では、切欠き部１４，１５，１６，１７の数を多く形成させて、それぞれの切欠き部１４，１５，１６，１７に太さの異なる棒状等の小物を安定して掛止させて収納することができるものとなり、歯ブラシ２３等から滴り落ちる水は良好に壁面４側の隙間部１１ａに流して、隙間部１１ａから壁面４伝いに下方に水を落として、清潔に維持することができるものとなる。
【００１５】
なお、図５及び図８に示すように、壁面４には予めビス２０を螺合させておき、このビス２０の頭部２０ａに対し、上方側から縦孔部１２ａを整合させて、落とし込み状にビスの頭部２０ａに掛止縦孔１３を係合させて、容易に壁面４に着脱可能に棚板７を取り付けることができ、必要に応じ上方へ持ち上げて取り外し、良好に掃除することができるものである。
【図面の簡単な説明】
【００１６】
【図１】浴室内の斜視構成図である。
【図２】浴室内の壁面に取り付けられる棚板の斜視構成図である。
【図３】図２の棚板の平面構成図である。
【図４】棚板の正面構成図である。
【図５】棚板の側面構成図である。
【図６】棚板の底面構成図である。
【図７】棚板に髭剃り，歯ブラシ等の小物を掛止した状態の斜視構成図である。
【図８】掛止状態で歯ブラシ等が壁面側へ傾き、安定して掛止される状態を示す側面構成図である。
【符号の説明】
【００１７】
１  浴室
４  壁面
６  扉
７  棚板
１０  本体部
１０ａ  円弧状端面
１１  壁当接面片
１１ａ  隙間部
１２  筒状片
１３  掛止縦孔
１４，１５，１６，１７  切欠き部
１４ａ，１４ｂ，１５ａ，１５ｂ，１６ａ，１６ｂ，１７ａ，１７ｂ  切欠き線
２０  ビス
２０ａ  頭部
２１  髭剃り
２２  洗顔用スポンジ
２３  歯ブラシ
【図１】
2006187542.tif 000003
【図２】
2006187542.tif 000004
【図３】
2006187542.tif 000005
【図４】
2006187542.tif 000006
【図５】
2006187542.tif 000007
【図６】
2006187542.tif 000008
【図７】
2006187542.tif 000009
【図８】
2006187542.tif 000010